(57)【要約】【課題】スライドドアを塗装するに際してシールのシールヘッド部には塗装材料を付着させてその塗装材料によりシール固定力を増す一方で、リップ部には塗装材料が付着しにくくしてリップ部の摺動性を確保すること。【解決手段】スライドドアの支持軸に取り付けられて該スライドドアをガイドレール上にガイド可能に支持するスライドドアガイド用転がり軸受において、内・外輪１６，１８の軸方向両端部それぞれに装着されて当該転がり軸受内部を密封する一対のシール２４を備え、シール２４は、外輪１８の軸方向両端部の内周面に係止されるシールヘッド部３０と、内輪１６の軸方向両端部の外周面に摺動可能に接触するリップ部３６とを含み、シール２４の軸方向外側の内輪１６の軸方向両端部にシールヘッド部３０を除いてリップ部３６を含むシール２４の外面全周を囲む塗料除け環状体４２を配置した構成。【選択図】図１
2007263265.tif 000002
【特許請求の範囲】
【請求項１】
スライドドアの軸受装着用支持軸に取り付けられて該スライドドアをガイドレール上にガイド可能に支持するスライドドアガイド用転がり軸受において、
内・外輪の軸方向両端部それぞれに装着されて当該転がり軸受内部を密封する一対のシールを備え、上記シールは、外輪の軸方向両端部の内周面に係止されるシールヘッド部と、内輪の軸方向両端部の外周面に摺動可能に接触するリップ部とを含み、上記シールの軸方向外側の内輪の軸方向両端部に、少なくともシールヘッド部を除いて少なくともリップ部を含むシール外面全周を囲む塗料除け環状体を配置した、ことを特徴とするスライドドアガイド用転がり軸受。
【請求項２】
上記塗料除け環状体を内輪の軸方向両端部の外周面上に立設するとともに、この塗料除け環状体に環状の塗料浸入防止リップを固定し、この塗料浸入防止リップの先端をシールの外面に摺動可能に接触させた、ことを特徴とする請求項１に記載のスライドドアガイド用転がり軸受。
【請求項３】
スライドドアの軸受装着用支持軸に取り付けられて該スライドドアをガイドレール上にガイド可能に支持するスライドドアガイド用転がり軸受において、
内・外輪の軸方向両端部それぞれに装着されて当該転がり軸受内部を密封する一対のシールを備え、上記シールは、外輪の軸方向両端部の内周面に係止されるシールヘッド部と、内輪の軸方向両端部の外周面に摺動可能に接触するリップ部とを含み、
上記内輪の軸方向両端部にシール溝を設け、このシール溝の内側面に上記シールのリップ部を摺動可能に接触させる一方、シール溝の底面にスリンガーを固定し、
このスリンガーの一部を、シール外側を外径方向に延ばして少なくともシールヘッド部を除いて少なくともリップ部を含むシール外面全周を囲む塗料除け環状体とするとともに、シールには塗料除け環状体の内面に摺動可能に接触する環状の塗料浸入防止リップ部を設けた、ことを特徴とするスライドドアガイド用転がり軸受。
【請求項４】
スライドドアの軸受装着用支持軸に取り付けられて該スライドドアをガイドレール上にガイド可能に支持するスライドドアガイド用転がり軸受において、
内・外輪の軸方向両端部それぞれに装着されて当該転がり軸受内部を密封する一対のシールを備え、上記シールは、外輪の軸方向両端部の内周面に係止されるシールヘッド部と、内輪の軸方向両端部の外周面に摺動可能に接触するリップ部とを含み、
上記軸受装着用支持軸に環状凹部を設け、この環状凹部内に上記内輪を装着するとともに、当該環状凹部の軸方向両内側面と内輪の軸方向両端面との間に少なくともシールヘッド部を除いて少なくともリップ部を含むシール外面全周を囲む塗料除け環状体を配置した、ことを特徴とするスライドドアガイド用転がり軸受。
【発明の詳細な説明】
【技術分野】
【０００１】
本発明は、自動車の車体等に設置されるスライドドアにおいて、そのスライドドアを上記車体等の本体に設置したガイドレールに沿って案内可能に支持するスライドドアガイド用転がり軸受に関する。このスライドドアガイド用転がり軸受は、自動車の車体等以外に各種の産業機械、工作機械、その他の構造物におけるスライドドアに適用することができる。
【背景技術】
【０００２】
例えば、自動車において、スライドドアは、ワンボックスワゴンや、デリバリーバンなどの車体に沿って後方に滑らせて開けられるタイプのドアとして採用されている。スライドドアは、自動車の車体の開口部を広くとることができ、車体側面で乗降スペースが少ない場所であっても乗り降りが便利とされる。このようなスライドドアを自動車のガイドレールに支持しかつガイドするための従来のスライドドアガイド用転がり軸受を図９ないし図１１を参照して説明する（特許文献１参照）。
【０００３】
車体２側面の乗車口周辺にアッパーガイドレール４、ロアガイドレール６、センターガイドレール８が取付けられる。これらガイドレール４ないし８のそれぞれに対応して、スライドドア１０には、支持軸１２の一端部が固定され、この支持軸１２の折曲げられた他端部に転がり軸受１４が取付けられる。
【０００４】
転がり軸受１４は、内輪１６と、外輪１８と、内・外輪１６，１８間に回転自在に配置された複数の転動体２０と、これら転動体２０を保持する保持器２２と、内・外輪１６，１８の軸方向両端部に設置されたシール（密封装置）２４とを備える。内輪１６は、支持軸１２に固定されている。外輪１８は、スライドドア１０の前後スライド移動に伴いガイドレール４，６，８上を転動する転動輪となる。
【０００５】
シール２４は、接触型シールであり、円環状に形成した補強用金属環２６と、この金属環２６の一部表面を覆う状態でこの金属環２６に結合した、ゴムや合成樹脂等の弾性を有する円環状の弾性材２８とにより構成している。シール２４の弾性材２８の外径側端部（シールヘッド部）３０は外輪１８の軸方向両端部内周面に全周に亙り形成したシール取付溝３２に弾性変形して係止し、弾性材２８の内径側は、内径方向に断面アーム状に延びて全体が円環状をなす延設アーム部３４を備え、この延設アーム部３４の内径端にリップ部３６が形成されている。リップ部３６は、内輪１６の軸方向両端部外周面に全周に亘り形成したシール溝３８の内側面４０に締め代をもって摺動する。
【０００６】
以上のように車体２のガイドレール４，６，８に沿いスライド移動可能に取り付けられるスライドドア１０は、自動車の自動生産ラインに配置された塗装炉内で塗装が施される。この塗装に際してスライドドア１０はその塗装されるドア面を塗装機（塗装ガン）に向けた姿勢で塗装炉内を通過するために、この塗料が転がり軸受１４のシール２４外面に溜まり、その結果、シール２４のリップ部３６が内輪１６のシール溝３８の内側面４０に固着してしまうことがある。また、軸受が取り付けられた状態のスライドドアをカチオン塗装のようなドブ漬けで塗装する場合にも同様の問題が生じる。これらの場合、リップ部３６の、シール溝３８の内側面４０に対する摺動面積が広いために、リップ部３６の内輪１６のシール溝３８の内側面４０に対する固着力はシールヘッド部３０の外輪１８のシール取付溝３２に対する係止力よりも強くなる場合がある。このような固着と係止関係の発生状況は、塗装材料が転がり軸受１４のシール２４外面に溜まることがないように塗装位置等の変更により回避することができる。しかしながら、その回避が困難で、このような状況が発生した状態下で、スライドドア１０がスライド移動して内・外輪１６，１８が相対回転すると、シールヘッド部３０のみがシール取付溝３２から外れてしまうという課題がある。
【特許文献１】特開２０００−１８２６６号公報
【発明の開示】
【発明が解決しようとする課題】
【０００７】
したがって、本発明により解決すべき課題は、スライドドアを塗装するに際してシールのシールヘッド部には塗装材料を付着させてその塗装材料によりシール固定力を増す一方で、リップ部には塗装材料が付着しにくくしてリップ部の摺動性を確保することである。
【課題を解決するための手段】
【０００８】
本発明第１によるスライドドアガイド用転がり軸受は、スライドドアの軸受装着用支持軸に取り付けられて該スライドドアをガイドレール上にガイド可能に支持するスライドドアガイド用転がり軸受において、内・外輪の軸方向両端部それぞれに装着されて当該転がり軸受内部を密封する一対のシールを備え、上記シールは、外輪の軸方向両端部の内周面に係止されるシールヘッド部と、内輪の軸方向両端部の外周面に摺動可能に接触するリップ部とを含み、上記シールの軸方向外側の内輪の軸方向両端部に、少なくともシールヘッド部を除いて少なくともリップ部を含むシール外面全周を囲む塗料除け環状体を配置したことを特徴とするものである。
【０００９】
本発明第１においては、シールの軸方向外側に、そのリップ部をその全周に亘り囲む環状の塗料除け環状体を配置したので、スライドドアの塗装工程でリップ部には塗料除け環状体により塗料が付着しにくくなる一方でシールヘッド部は塗料除け環状体には囲まれていないので塗料が付着してシールヘッド部は外輪により強い固定力で固定することができる。その結果、スライドドアがスライド移動して内・外輪が相対回転した場合、シールヘッド部は外輪の軸方向両側の内周面に固定される一方で、リップ部はその摺動性を確保することができる。
【００１０】
本発明第２によるスライドドアガイド用転がり軸受は、本発明第１において、上記塗料除け環状体を内輪の軸方向両端部の外周面上に立設するとともに、この塗料除け環状体に環状の塗料浸入防止リップを固定し、この塗料浸入防止リップの先端をシールの外面に摺動可能に接触させたことを特徴とするものである。
【００１１】
本発明第２においては、さらに、塗料除け環状体の外径側に塗料浸入防止リップを固定し、この塗料浸入防止リップの先端をシールの外面に摺動可能に接触させたので、さらにリップ部に塗料が浸入しにくく、その摺動性をより確保することができる。
【００１２】
本発明第３によるスライドドアガイド用転がり軸受は、スライドドアの軸受装着用支持軸に取り付けられて該スライドドアをガイドレール上にガイド可能に支持するスライドドアガイド用転がり軸受において、内・外輪の軸方向両端部それぞれに装着されて当該転がり軸受内部を密封する一対のシールを備え、上記シールは、外輪の軸方向両端部の内周面に係止されるシールヘッド部と、内輪の軸方向両端部の外周面に摺動可能に接触するリップ部とを含み、
上記内輪の軸方向両端部にシール溝を設け、このシール溝の内側面に上記シールのリップ部を摺動可能に接触させる一方、シール溝の底面にスリンガーを固定し、このスリンガーの一部を、シール外側を外径方向に延ばして少なくともシールヘッド部を除いて少なくともリップ部を含むシール外面全周を囲む塗料除け環状体とするとともに、シールには塗料除け環状体の内面に摺動可能に接触する環状の塗料浸入防止リップ部を設けたことを特徴とするものである。
【００１３】
本発明第３においては、内輪の軸方向両端部にシール溝を設け、このシール溝の内側面に上記シールのリップ部を摺動可能に接触させる一方、シール溝の底面にスリンガーを固定し、そのスリンガーの一部を、塗料除け環状体としたので、スライドドアの塗装工程でリップ部には塗料除け環状体により塗料が付着しにくくなる一方でシールヘッド部には塗料が付着してシールヘッド部は外輪により強い固定力で固定することができる。その結果、スライドドアがスライド移動して内・外輪が相対回転した場合、シールヘッド部は外輪の軸方向両側の内周面に固定される一方で、リップ部はその摺動性を確保することができる。
【００１４】
本発明第４によるスライドドアガイド用転がり軸受は、スライドドアの軸受装着用支持軸に取り付けられて該スライドドアをガイドレール上にガイド可能に支持するスライドドアガイド用転がり軸受において、内・外輪の軸方向両端部それぞれに装着されて当該転がり軸受内部を密封する一対のシールを備え、上記シールは、外輪の軸方向両端部の内周面に係止されるシールヘッド部と、内輪の軸方向両端部の外周面に摺動可能に接触するリップ部とを含み、上記軸受装着用支持軸に環状凹部を設け、この環状凹部内に上記内輪を装着するとともに、当該環状凹部の軸方向両内側面と内輪の軸方向両端面との間に少なくともシールヘッド部を除いて少なくともリップ部を含むシール外面全周を囲む塗料除け環状体を配置したことを特徴とするものである。
【００１５】
本発明第４においては、軸受装着用支持軸に環状凹部を設け、この環状凹部内に上記内輪を装着するとともに、当該環状凹部の軸方向両内側面と内輪の軸方向両端面との間に上記シールのリップ部のみをその全周に亘り囲む環状の塗料除け環状体を配置したので、スライドドアの塗装工程でリップ部には塗料除け環状体により塗料が付着しにくくなる一方でシールヘッド部には塗料が付着してシールヘッド部は外輪により強い固定力で固定することができる。その結果、スライドドアがスライド移動して内・外輪が相対回転した場合、シールヘッド部は外輪の軸方向両側の内周面に固定される一方で、リップ部はその摺動性を確保することができる。
【発明の効果】
【００１６】
本発明によれば、スライドドアを塗装するに際してシールのシールヘッド部には塗装材料を付着させてその塗装材料によりシール固定力を増す一方で、リップ部には塗装材料が付着しにくくしてリップ部の摺動性を確保することができる。
【発明を実施するための最良の形態】
【００１７】
以下、添付した図面を参照して、本発明の実施の形態に係るスライドドアガイド用転がり軸受（以下、転がり軸受と称する）を説明すると、図１は、同転がり軸受の断面図、図２は要部を拡大して示す図である。図９ないし図１１を参照して説明した転がり軸受と同一の部分には同一の符号を付している。
【００１８】
この実施の形態の転がり軸受１４は、内輪１６と、外輪１８と、内・外輪１６，１８間に回転自在に配置された複数の転動体２０と、これら転動体２０を保持する保持器２２と、内・外輪１６，１８の軸方向両端部に設置されたシール２４とを備える。内輪１６は、支持軸１２に固定される。外輪１８は、スライドドア１０の前後スライド移動に伴いガイドレール４，６，８上を転動する転動輪となる。なお、金属製の外輪１８の外周面に図示しないが合成樹脂製あるいはゴム製の外皮を形成してもよい。
【００１９】
シール２４は、接触型シールであり、芯金となる金属環２６と、この金属環２６の一部表面を覆う状態でこの金属環２６に結合した、ゴムや合成樹脂等の弾性を有する円環状の弾性材２８とにより構成している。シール２４はその弾性材２８の外径側からなるシールヘッド部３０と、弾性材２８の内径側からなる延設アーム部３４と、この延設アーム部３４の内径端に形成されたリップ部（主リップ部）３６とを備える。弾性材２８の内径側には主リップ部３６よりも外径側に副リップ部３７を備える。主リップ部３６は、内輪１６の軸方向両端部外周面に全周に亘り形成したシール溝３８の内側面４０に締め代をもって摺動可能に接触している。弾性材２８としてゴム系には、ニトリル系ゴム、アクリル系ゴム、フッ素系ゴム、シリコン系ゴム等がある。
【００２０】
以上の構成において、この実施の形態においては、シール２４の軸方向外側に、シールド４２を、シールヘッド部３０を除く一方で主リップ部３６を含めたシール２４の略外面側全周を囲む環状板からなる塗料除け環状体として配置している。この塗料除け環状体４２は、内輪１６の軸方向両端部のシール溝３８に嵌合されて該シール溝３８の底面３９上に略垂直に立設している。塗料除け環状体４２の外径端部と外輪１８の内周面との間には塗料がシール２４のシールヘッド部３０に付着できるよう、該塗料を案内する環状の案内隙間４４が設けられている。塗料除け環状体としてのシールド４２の素材は金属材でもよいし、硬質合成樹脂材でもよい。
【００２１】
この実施の形態においては、シール２４のシールヘッド部３０に塗料を案内することができる隙間４４をシールド４２により形成しているので、シールヘッド部３０には塗装工程で塗料を付着固化させることにより、シールヘッド部３０を外輪１８のシール取付溝３２に固定させる固定力を強化することができる。また、シールド４２をシールヘッド部３０を除くシール２４の略外面側全周を囲むように配置しているので、塗料がシールヘッド部３０を除くシール２４外面に付着しないからシール２４の弾性を確保することができると同時に特に主リップ部３６が内輪１６のシール溝３８の内側面４０に固着することがないから、主リップ部３６の摺動性を維持し、シール２４としての密封性能を確保することができる。以上の結果から、実施の形態の転がり軸受１４においては、スライドドア１０がスライド移動して内・外輪１６，１８が相対回転した場合、シールヘッド部３０は外輪１８の軸方向両側のシール取付溝３２に高い固定力で固定することによりシール２４の機械的強度を増すことができる一方で、リップ部３６の性能を確保することができる。
【００２２】
図３および図４を参照して本発明の他の実施の形態に係る転がり軸受１４を説明すると、この実施の形態では、金属材や硬質樹脂材からなるシールド４２を塗料除け環状体とし、そのシールド４２のシール溝３８からの外径方向の高さを短くすると共に、そのシールド４２の外径端部にゴム等の弾性材からなる環状の塗料浸入防止リップ４６を固定し、この塗料浸入防止リップ４６の先端をシール２４の外面に摺動可能に接触させたものである。
【００２３】
この実施の形態では、塗料除け環状体としてのシールド４２と塗料浸入防止リップ４４とによりシール２４の軸方向外側に、シールヘッド部３０を除くシール２４の略外面側全周を囲む環状の塗料除けと塗料浸入防止とを図った構造にしている。シールド４２は、内輪１６の軸方向両端部のシール溝３８に嵌合されて該シール溝３８の底面３９上に略垂直に立設している。塗料浸入防止リップ４６の外径端部と外輪の内周面との間には塗料がシール２４のシールヘッド部３０に付着できるよう、該塗料を案内する環状の案内隙間４４が設けられている。
【００２４】
この実施の形態においては、シール２４のシールヘッド部３０に塗料を案内することができる隙間４４を塗料浸入防止リップ４６により形成しているので、シールヘッド部３０には塗装工程で塗料を付着固化させることにより、シールヘッド部３０を外輪１８のシール取付溝３２に固定させる固定力を強化することができる。また、塗料除け環状体４２と塗料浸入防止リップ４６とによりシールヘッド部３０を除くシール２４の略外面側全周を囲むように配置しているとともに、特に塗料浸入防止リップ４６によりシール２４内部に塗料が浸入しない構成としているので、塗料がシールヘッド部３０を除くシール２４外面に付着しなくなってシール２４の弾性をより高く確保することができる。
【００２５】
以上の結果から、実施の形態の転がり軸受においては、スライドドア１０がスライド移動して内・外輪１６，１８が相対回転した場合、シールヘッド部３０は外輪１８の軸方向両側のシール取付溝３２に高い固定力で固定することによりシール２４の機械的強度を増すことができる一方で、リップ部３６の性能を確保することができる。
【００２６】
図５および図６を参照して本発明のさらに他の実施の形態に係る転がり軸受１４を説明すると、この実施の形態では、内輪１６のシール溝３８の底面３９にスリンガー４８を固定している。スリンガー４８は、円環部５０の外周縁部が外径方向に折り曲げられてなるフランジ部５２を有して断面Ｌ形状をなしている。そのスリンガー４８のフランジ部５２を塗料除け環状体としている。この塗料除け環状体５２は、シール２４外側を外径方向に延びてシールヘッド部３０を除くシール２４の略外面全体を囲む環状の塗料除け環状体になっているとともに、シール２４にはフランジ部５２の内面に摺動可能に接触する環状の塗料浸入防止リップ部５４を設けている。
【００２７】
塗料浸入防止リップ部５４は外径方向に拡径して、そのリップ先端が塗料除け環状体５２内面に摺動可能に接触していることにより、塗料除け環状体５２と塗料浸入防止リップ部５４先端との隙間５６から塗料が浸入しにくい構成になっている。
【００２８】
この実施の形態においては、シール２４のシールヘッド部３０に塗料を案内することができる隙間５６を塗料除け環状体５２により形成しているので、シールヘッド部３０には塗装工程で塗料を付着固化させることにより、シールヘッド部３０を外輪１８のシール取付溝３２に固定させる固定力を強化することができる。また、塗料除け環状体５２と塗料浸入防止リップ５４とによりシールヘッド部３０を除くシールの略外面側全周を囲むように配置しているとともに、シール内部に塗料が浸入しない構成であるから、シール性能を高く確保することができる。
【００２９】
以上の結果から、実施の形態の転がり軸受１４においては、スライドドア１０がスライド移動して内・外輪１６，１８が相対回転した場合、シールヘッド部３０は外輪１８の軸方向両側のシール取付溝３２に高い固定力で固定することによりシール２４の機械的強度を増すことができる一方で、リップ部３６の性能を確保することができる。
【００３０】
図７および図８を参照して本発明のさらに他の実施の形態に係る転がり軸受１４を説明すると、この実施の形態では、軸受装着用の支持軸１２に環状凹部５８を設け、この環状凹部５８内に上記内輪１６を装着するとともに、当該環状凹部５８の軸方向両内側面と内輪１６の軸方向両端面との間にシールヘッド部３０を除くシール２４の略外面全体を囲むように環状のスリンガー６０を塗料除け環状体として配置している。また、シール２４には塗料除け環状体６０の内面に摺動可能に接触する環状の塗料浸入防止リップ部６２を設けている。この塗料浸入防止リップ６２は外径方向に拡径して、そのリップ先端がスリンガー６０内面に摺動可能に接触していることにより、塗料除け環状体６０と塗料浸入防止リップ６２先端との隙間から塗料が浸入しにくい構成になっている。
【００３１】
この実施の形態においては、シール２４のシールヘッド部３０に塗料を案内することができる隙間６４を塗料除け環状体６０により形成しているので、シールヘッド部３０には塗装工程で塗料を付着固化させることにより、シールヘッド部３０を外輪１８のシール取付溝３２に固定させる固定力を強化することができる。また、スリンガー６０と塗料浸入防止リップ６２とによりシールヘッド部３０を除くシール２４の略外面側全周を囲むように配置しているとともに、シール２４内部に塗料が浸入しない構成であるから、シール性能を高く確保することができる。
【００３２】
以上の結果から、実施の形態の転がり軸受においては、スライドドア１０がスライド移動して内・外輪１６，１８が相対回転した場合、シールヘッド部３０は外輪１８の軸方向両側のシール取付溝に高い固定力で固定することによりシール２４の機械的強度を増すことができる一方で、リップ部３６の性能を確保することができる。
【図面の簡単な説明】
【００３３】
【図１】図１は本発明の実施の形態に係るスライドドアガイド用転がり軸受の断面図である。
【図２】図２は図１の転がり軸受の要部を拡大して示す断面図である。
【図３】図３は本発明の他の実施の形態に係るスライドドアガイド用転がり軸受の断面図である。
【図４】図４は図３の転がり軸受の要部を拡大して示す断面図である。
【図５】図５は本発明のさらに他の実施の形態に係るスライドドアガイド用転がり軸受の断面図である。
【図６】図６は図５の転がり軸受の要部を拡大して示す断面図である。
【図７】図７は本発明のさらに他の実施の形態に係るスライドドアガイド用転がり軸受の断面図である。
【図８】図８は図７の転がり軸受の要部を拡大して示す断面図である。
【図９】図９は自動車の側面図である。
【図１０】図１０は図９の自動車のスライドドアの側面図である。
【図１１】図１１は従来の転がり軸受の断面図である。
【符号の説明】
【００３４】
１０  スライドドア
１２  支持軸
１４  転がり軸受
２４  シール
３０  シールヘッド部
３２  シール取付溝
３６  リップ部
３８  シール溝
４２  シールド（塗料除け環状体）
４４  隙間
【図１】
2007263265.tif 000003
【図２】
2007263265.tif 000004
【図３】
2007263265.tif 000005
【図４】
2007263265.tif 000006
【図５】
2007263265.tif 000007
【図６】
2007263265.tif 000008
【図７】
2007263265.tif 000009
【図８】
2007263265.tif 000010
【図９】
2007263265.tif 000011
【図１０】
2007263265.tif 000012
【図１１】
2007263265.tif 000013